(57)【要約】      （修正有）【課題】成形空洞（型穴）を有する半殻と呼ばれる成形部の交換によりボトルの外観および／または形状に変化に対応しやすいシステムを提供することである。【解決手段】少なくとも１つの交換可能な成形部１１を、相補的な形状の支持部１２に設けられる台に取り付ける成形ユニット取り付け方法であり、交換可能な成形部１１の辺のうちで成形部の軸に平行な辺の１つに、停止部として機能する少なくとも１つの固定装置２を備え、他方の辺において、作動ロック位置と非作動ロック位置との間を移動する可動式ロック装置３を備える。可動式ロック装置３は、自動的にそれ自身を非作動ロック位置から作動ロック位置へ自動的に戻すための弾性戻り手段を備え、また、操作者の手動によって非作動位置への切換も可能であり、成形部１１を有する半殻の交換固定を容易にした構造である。【選択図】図１
2011025698.tif 000002
【特許請求の範囲】
【請求項１】
少なくとも１つの交換可能な成形部（４；６；１１）を、相補的な形状の支持部（５；６；７；１２）に設けられる台（９；９０）に取り付けることを可能にする成形ユニット取り付けシステムであって、
上記システムは、作動ロック位置と非作動ロック位置との間を移動する少なくとも１つの可動式ロック装置（３；２０；２９；３９）を備え、
上記可動式ロック装置（３；２０；２９；３９）は、それ自身を上記非作動ロック位置から上記作動ロック位置へ自動的に戻すための弾性戻り手段（２３；３２；３９）を備え、
上記可動式ロック装置（３；２０；２９；３９）は、操作者の手作業手動によって上記非作動ロック位置に配置可能であり、
上記システムは、上記交換可能な成形部（４；６；１１）の辺のうちで該成形部の軸に平行な辺の１つに、停止部として機能する少なくとも１つの固定装置（２）を備え、
上記可動式ロック装置（３；２０；２９；３９）は、上記交換可能な成形部のもう一方の辺に配置される、成形ユニット取り付けシステム。
【請求項２】
上記可動式ロック装置（３；２０；２９；３９）は、上記支持部（５；６；７；１２）に固定されている、請求項１に記載の成形ユニット取り付けシステム。
【請求項３】
上記可動式ロック装置は、バネ−ボール（２１）システムを備え、
該バネ−ボール（２１）システムは、ボール（２１）に対して圧接する端部を有する圧縮スプリング（２３）を備え、
上記圧縮スプリング（２３）は、上記弾性戻り手段を構成し、
上記交換可能な成形部（４）は、該交換可能な成形部（４）と支持部（６）とが互いに固定されるときに上記ボール（２１）と連係する放射状台（２６）を備え、
上記放射状台（２６）は、上記ボール（２１）の形状に対して相補的な形状を有する、請求項１または２に記載の成形ユニット取り付けシステム。
【請求項４】
上記可動式ロック装置（２９）は、ラッチ（３０）と捕捉穴（３１）のシステムであり、
該システムは、上記ラッチ（３０）に対して圧接する端部を有する圧縮バネ（３２）を備え、
上記圧縮バネ（３２）は、上記弾性戻り手段を構成し、
上記捕捉穴（３１）は、上記交換可能な成形部（６）の先端（３７）に配置され、
上記ラッチ（３０）は、上記支持部（７）の先端（１９）に近接した場所に固定され、
上記ラッチ（３０）は、上記作動ロック位置において上記捕捉穴（３１）と係合する、請求項１に記載の成形ユニット取り付けシステム。
【請求項５】
上記可動式ロック装置は、その端部の１つ（４０）によって上記支持部（６）に固定される板状バネ（３９）であり、
上記板状バネ（３９）は、上記支持部（６）用の台（９０）の形状に沿う湾曲を有する部分（４５）を備え、該部分（４５）には隆起部（４３）が設けられ、
上記交換可能な成形部（４）は、上記交換可能な成形部（４）および上記支持部（６）が互いに固定されるときに上記隆起部（４３）と連係する放射状台（４４）を備え、
上記放射状台（４４）は、上記板状バネ（３９）における上記隆起部（４３）に対して相補的な形状を有する、請求項１または２に記載の成形ユニット取り付けシステム。
【請求項６】
少なくとも１つの物品に対して吹込み成形または延伸吹込み成形を行うための成形ユニットであって、
上記ユニットは、特に２つの成形半端（１）を備え、
上記成形半端のうちの少なくとも１つは、
成形空洞を有する少なくとも１つの交換可能な成形部（４；６）と、
上記交換可能な成形部（４；６）を受け入れるための台（９；９０）を備える支持部（５；６；７）と、
上記交換可能な成形部を上記支持部に取り付けるための取り付け手段とを備え、
上記取り付け手段は、請求項１ないし５のいずれか１項に記載の成形ユニット取り付けシステムによって実現される、成形ユニット。
【請求項７】
上記交換可能な成形部は挿入部（４）であり、上記支持部は半殻（５）である、請求項６に記載の成形ユニット。
【請求項８】
上記交換可能な成形部は半殻（６）であり、上記支持部は上記半殻（６）用の支持構造（７）である、請求項６に記載の成形ユニット。
【請求項９】
上記成形ユニットは、少なくとも２つの交換可能な成形部（４；６）を備え、
上記２つの交換可能な成形部のうちの一方は挿入部（４）であり、他方は半殻（６）であり、
上記半殻（６）は、上記挿入部（４）用の上記支持部を構成し、
上記成形ユニットはまた、上記半殻（６）用の支持構造（７）によって実現される上記半殻用の支持部を備える、請求項６に記載の成形ユニット。
【請求項１０】
上記交換可能な成形部（１１）は半円筒状であり、
上記成形ユニットは、上記支持部（１２）の上記台（９）の表面から突出する少なくとも１つのレール（５１）と連係する少なくとも１つの周辺溝（５０）を備える、請求項６ないし９のいずれか１項に記載の成形ユニット。
【発明の詳細な説明】
【発明の詳細な説明】
【０００１】
本発明は、少なくとも１つの交換可能な成形部を、相補的な形状の支持部に設けられる台に取り付けることを可能にする成形ユニット取り付けシステムに関し、上記システムは、上記交換可能な成形部の辺のうちで該成形部の軸に平行な辺の１つに、停止部材として機能する少なくとも１つの装置を備え、もう一方の辺には、作動ロック位置と非作動ロック位置との間を移動する可動式ロック装置を備える。
【０００２】
本発明はまた、上記システムを備える成形ユニットに関する。
【０００３】
本発明の成形ユニットは特に、限定するわけではないが、適切な機械において吹込み成形または延伸吹込み成形を行うことによって成形が行われるとき、例えばボトルなどの熱可塑製物質からなる容器を成形することを意図している。
【０００４】
本発明の目的は、特にボトルの外観および／または形状に変化をつけやすくするシステムを提供することである。
【０００５】
文献ＦＲ２  ７３３  １７６（ＳＩＤＥＬ）は、型穴を迅速かつ単純に変化させるための手段を提供する成形ユニットを記載している。
【０００６】
この成形ユニットは、２つの成形キャリアを備える構造が設けられるブラケットを有する。各成形キャリアは、成形半端を支持する。上記成形半端は、一般的に半殻と呼ばれる交換可能な成形部を有するが、これは製造される容器の彫り型を有している。また、上記成形半端は、半殻用の支持構造を有している。
【０００７】
この支持構造は、成形キャリアに適した手段によって固定され、半殻を取り付けるための手段を有する。
【０００８】
この取り付け手段は一般的に、支持構造の端部に対してネジで固定される突出タブからなり、成形分割線から後退している。
【０００９】
上記タブは、留めネジの通路用のスロットを備え、このスロットによって、半殻における非作動ロック位置と作動ロック位置の間の、タブの台の中で、タブが迅速に移動することが可能となる。タブが緩められて外側に移動させられるとき、半殻は解放され、ネジを完全に取り除く必要がなくなる。
【００１０】
しかしながら、このタイプの取り付けでは、ネジを緩めたり締めたりするための適切な道具の使用が必要となるが、これには、ネジを落としたり、再度締めなおすことを忘れたりするなど、あらゆるリスクが伴う。
【００１１】
作動ロック位置と非作動ロック位置の間を移動する他の取り付け手段を実行する試みがなされている。上記手段は例えば、ある位置から他の位置へ移動させるための道具の使用を必要とせずに使用できるよう、より速いものである。特に、タブを解放するためにネジを緩める必要がなく、かつ／または、タブを所定の場所に固定するためのネジ巻き動作を必要としない手段を開発する試みがなされている。
【００１２】
あるシステムが文献ＦＲ２  ９０２  ６８８に記載されているが、そのシステムは、成形底面および成形底面支持部を取り付けるためのものであり、これは、作動ロック位置と非作動ロック位置との間を移動する少なくとも１つのロック装置を備え、また、上記ロック装置を上記非作動ロック位置から上記作動ロック位置へ自動的に戻すための弾性戻り手段を備える。上記ロック装置は、操作者により手動で非作動位置へ配置され得る。上記ロックシステムは文献ＦＲ２  ７３３  １７６のものより単純なものであるが、例えば所定位置に固定される前に成形物の側壁にスライドされる挿入部分の場合がそうであるように、他の部分に対してスライドする部分を所定位置にロックするにはふさわしくない。
【００１３】
本発明は、このタイプの取り付けシステムに関し、これは請求項でも記載するように、上記システムの軸に平行な交換可能な成形部の１辺において、停止部として機能する少なくとも１つの固定装置を備え、交換可能な成形部のもう一方の辺に位置する可動式ロック装置を備えることに注目すべき価値がある。
【００１４】
このような状態で取り付けシステムが実現されると、上記取り付けシステムによって、交換可能な成形部を正しく配置することが可能となり、この場所においてロックすることが可能となる。この停止部は特に、交換可能な成形部を支持部においてスライドすることに関連する問題を補償する。
【００１５】
本発明のシステムはまた、以下の特徴を別個に、または組み合わせて有し得る。
【００１６】
ロック装置は上記支持部に固定され、
ロック装置はバネ−ボールシステムを備え、該バネ−ボールシステムは、端部がボールに対して圧接する圧縮バネを有し、上記スプリングは上記弾性戻り手段であり、上記交換可能な成形部は、該交換可能な成形部と支持部とが互いに固定されるときにボールと連係する放射状台を備え、上記放射状台は上記ボールに対して相補的な形状を有し、
ロック装置はラッチおよび捕捉穴システムであって、該システムは、端部がラッチに対して圧接する圧縮バネを備え、上記バネは上記弾性戻り手段であり、上記捕捉穴は上記交換可能な成形部の先端に配置され、上記ラッチは上記支持部の先端付近の所定位置に固定され、上記ラッチは作動ロック位置において上記捕捉穴に係合し、
上記ロック装置は、その端部の１つによって支持部へ固定される板状バネであって、上記板状バネは、支持部用の台の形状に沿った曲線を有する部分を備え、さらに、上記部分は隆起部を有し、交換可能な成形部は、該交換可能な成形部と支持部とが互いに固定されるときに上記隆起部と連係する放射状台を備え、上記放射状台は、上記板状バネにおける上記隆起部に対して相補的な形状を有する。
【００１７】
本発明の他の目的は、２つの成形半端を備える任意の成形ユニットに適用されるが、上記２つの成形半端のうちの少なくとも１つは、
成形空洞（型穴）を有する少なくとも１つの交換可能な成形部と、
上記交換可能な成形部を受け入れる台を有する支持部と、
上記交換可能な成形部を上記支持部に取り付けるための手段とを備える。
【００１８】
本発明は、以上のように成形ユニットに関するが、上記成形ユニットは、上記のように、上記取り付け手段が本発明に係る取り付けシステムによって実現される点で注目に値する。
【００１９】
本発明の成形ユニットは、以下の特徴を有し得る。
【００２０】
上記交換可能な成形部は挿入部であり、上記支持部は半殻であり、
上記交換可能な成形部は半殻であり、上記支持部は半殻用の支持構造であり、
上記成形ユニットは少なくとも２つの交換可能な成形部を備え、２つの交換可能な成形部のうちの１つは挿入部であり、もう一方は半殻であり、上記半殻は上記挿入部用の支持部を構成し、上記成形ユニットはまた、半殻支持構造によって実現される半殻用の支持部を備え、
上記交換可能な成形部は半円筒形状であり、上記支持部における上記台の表面から突出する少なくとも１つのレールと連係する少なくとも１つの周辺溝を備える。
【００２１】
添付の図面を参照して示される特定の実施形態を通して、本発明はよりよく理解されるであろう。
【００２２】
図１は、成形キャリア構造を台とする半殻支持構造に固定される半殻を備え、本発明に係る成形ユニットを有する、考えられる成形キャリア構造の正面図を示す。
【００２３】
図２は、図１の軸ＩＩ−ＩＩに沿う断面図である。
【００２４】
図３は、半殻に固定される挿入部を備える、本発明の１つの変形に係る成形ユニットの正面図である。
【００２５】
図４は、図３の軸ＩＶ−ＩＶに沿う断面図を示す。
【００２６】
図５は、本発明の他の変形に係る成形ユニットの断面図である。
【００２７】
図６は、成形ユニットの横断面図におけるロック装置の第１実施形態を示す。
【００２８】
図７は、成形ユニットの放射状断面図におけるロック装置の第２実施形態を示す。
【００２９】
図８は、作動ロック位置における、図７のロック装置の上面図である。
【００３０】
図９は、本発明の他の変形に係るロック装置を備える、本発明の成形ユニットの上面図である。
【００３１】
図１０は、図９に示すロック装置の放射状断面図である。
【００３２】
図１１は、図９および１０に示すロック装置の斜視図である。
【００３３】
本発明の成形ユニットの一部分のみを図１に示す。実際、成形ユニットは従来、２つの成形半端および脱着可能な成形底面を備える。成形底面における成形半端１を１つだけ、また部品８を図１に示す。
【００３４】
図１は、成形キャリアと呼ばれる構造１０に配置される成形半端１を部分的に示すが、上記構造１０そのものは、成形ユニットのブラケット（図示せず）によって従来の方法で支持される。
【００３５】
成形半端１は一般的に、製造されるボトルの形状をした空洞が彫りこまれている部品と、半殻１１と呼ばれる部品と、この半殻１１用の支持部を構成し、殻ホルダーまたは半殻１１用の支持構造１２と呼ばれる他の部品とを備える。
【００３６】
この実施形態では、上記空洞は、形成されるボトルの一部の凹状堀型（negative impression）である。
【００３７】
半殻１１は、支持部を構成する半殻支持構造１２に脱着可能に搭載されるので、成形ユニット用の交換可能な成形部を構成する。
【００３８】
半殻支持構造１２は、半殻１１を受け入れるように構成される台９を有する（図２）。
【００３９】
半殻１１は半円筒形状であり、台９は相補的形状を有する。
【００４０】
図示する例では、半殻１１は、２つの周辺溝５０（図１の点線で示す）を備え、これらの溝のそれぞれはレール５１と連係し、上記レールは台９の表面から突出している。
【００４１】
この実施形態では、半殻１１を半殻支持構造１２に配置するために、レール５１は単純に溝５０に挿入され、半殻１１は台９表面に沿ってスライドされるが、半殻１１が曲線の動きを追うことが必要となる。
【００４２】
この溝およびレール構造は限定的なものではないことを理解すべきである。本発明は、溝およびレールのない他の実施形態とも関連し得る。
【００４３】
半殻１１が台９における所定位置に維持されるために、本発明の成形ユニット１は、ここで説明を加える、迅速な取り付けを行うための手段を備える。
【００４４】
上記取り付け手段は、半殻支持構造１２に相対して固定される装置２と、２つの位置の間で可動に搭載される装置であるロック装置３とを備える。上記２つの位置とは、半殻１１が所定位置で保持される作動ロック位置と、半殻１１が解放されて半殻支持構造１２から分離され得る非作動ロック位置である。
【００４５】
ロック装置３はこのため、任意に半殻１１を取り除いたり置き換えたりできるようにするために、格納可能に閉じられるが、作動ロック位置に自動的に戻るようにも設計されている。
【００４６】
これは、ロック装置３は、任意の特別な動きが、ロックされる位置に移動することを必要としない装置であることを意味している。
【００４７】
図６〜図１１に示される、後述の様々な実施形態の記載で示すように、ロック装置３は様々な方法で実現され得るので、図１〜図５には明確に示していない。
【００４８】
ロック装置３はこれらの実施形態のいずれかに基づいて、または、他の均等な実施形態に基づいて実現され得るということを理解すべきである。
【００４９】
固定装置２は実質的に、成形半端の分割線から凹んでおり、ロック装置３はまた、半殻支持構造１２によって構成される支持部と相対的な場所に半殻１１を効果的にロックするように、上記分割線に近接して位置する。
【００５０】
特に図１および図２から分かるように、固定装置２は、半殻１１の支持構造１２に含まれる。
【００５１】
固定装置２は、半殻支持構造１２にねじ込まれるネジ１３と、ワッシャ１４とを含む。
【００５２】
ネジ１３は、部分的に半殻１１の支持構造１２において、また、部分的に半殻１１において構成される空洞１６の底面１５にワッシャ１４を維持する。
【００５３】
これを達成するために、ワッシャ１４はその中心から外れた貫通孔１７を有するが、半殻支持構造１２および半殻１１の両方において実現される空洞１６の底面１５に対してできるだけ大部分が圧接するよう構成される。
【００５４】
このように、ワッシャ１４は、半殻支持構造１２の台９に配置されるとき、半殻１１の先端が対向する停止部として機能する。
【００５５】
ワッシャ１４を保持するネジ１３のオフセットは、特に図１において視認し得る。
【００５６】
（ワッシャおよびネジを受け入れる）空洞１６の深さは少なくとも、ワッシャの厚さとネジ１３のヘッドの高さを足したものと等しい。
【００５７】
このように、ワッシャ１４が空洞１６の中の所定位置に固定されるとき、ネジ１３のヘッドは半殻１の先端１９を越えて突出せず、そのため、成形ユニットを閉じる際に干渉とならない。
【００５８】
図３および図４は、本発明に係る成形ユニットの他の実施形態を示す。
【００５９】
この第２実施形態では、成形ユニットは、半殻５に脱着可能に固定される交換可能な成形部を構成する挿入部４を備える。
【００６０】
この実施形態では、図３に示すように、ボトルの彫り込みにいくつかの部品が彫り込まれる。特に、この半殻５および半殻５と連係する挿入部４が彫り込まれる。
【００６１】
半殻５は、本発明の範囲を逸脱することなく、複数の挿入部を受け入れるように構成され得る。補助挿入部４’は、解釈しやすくするなどの目的で、図３において点線によって示される。
【００６２】
挿入部４は、図３の中央における実線で示される。
【００６３】
彫り込み１８を形成するために、挿入部４は例えばラベリング領域に配置される。
【００６４】
挿入部４は、例えば先に述べた固定装置（図１および図２に示される実施形態に係る固定装置）と同一の固定装置２によって、また、図６〜図１１に示されるもののうちの１つであり得る可動式ロック装置３によって、半殻５に脱着可能に固定される。
【００６５】
図５は、本発明の成形ユニットのさらに他の実施形態を示す。
【００６６】
成形ユニットは、挿入部４、半殻６、および半殻６用の支持構造７とを備える。
【００６７】
（上記のような）固定装置２および可動式ロック装置３によって、半殻６は、支持構造７に脱着可能に搭載される。
【００６８】
半殻６は、挿入部４用の支持部を構成し、上記挿入部は、（上記のような）固定装置２および可動式ロック装置３によって半殻６に脱着可能に搭載される。
【００６９】
（先に規定した）２つの位置の間を移動し得る可動式ロック装置３のいくつかの実施形態についてここで説明する。
【００７０】
よりよい理解を促すために、以下に示すロック装置３の実施形態は、図５に示す実施形態の支持部６または７に搭載されるものとして説明する。
【００７１】
したがって、以下に示す実施形態に応じて、ロック装置は、挿入部４を受け入れる支持部６に固定されるか、または半殻６を受け入れる支持部７に固定される。
【００７２】
図６は、可動式ロック装置２０の第１実施形態を示す。
【００７３】
この装置２０は、バネ−ボールシステムを備える。
【００７４】
バネ−ボールシステムは、圧縮コイルバネ２３の１つの端部２２に配置されるボール２１を備える。
【００７５】
圧縮コイルバネ２３の他方の端部２４は、ソケット２５の底面に圧接し、上記ソケット２５は、半殻６（または他の任意の支持部：これはまた、半殻５または半殻支持構造１２であり得る）に設けられる貫通孔２８の中にねじ込まれる、または押し込まれる。
【００７６】
バネ２３は、ソケット２５の深さと略等しい長さを有し、そのため、ボール２１は部分的にソケット２５から突出する。
【００７７】
平行して、挿入部４（または他の任意の交換可能な成形部：これはまた、半殻１１であり得る）の壁の中に、半球状の放射状台２６が設けられる。
【００７８】
上記放射状台２６は、ボール２１の形状に対して略相補的な形状を有する。
【００７９】
上記放射状台２６は、挿入部４が支持部（半殻６）に配置されるとき、上記支持部のソケット２５に面する位置に収まる。
【００８０】
挿入部４が、支持部を構成する半殻６に配置されるときにまず、挿入部４の外側表面は、ソケット２５に入るボール２１に対して圧接し、その端部２２に対して力を及ぼすことによってバネ２３を圧縮する。
【００８１】
挿入部４の端部２７がワッシャ１４と接触するとき、放射状台２６は、バネ２３およびボール２１を備えるソケット２５に面する。
【００８２】
バネ２３の作用の下、ボール２１は放射状台２６の中に押し込められ、挿入部４を半殻６に相対する位置においてロックする。
【００８３】
したがって、挿入部４は、何らかの特殊な道具を使用せずに手動で半殻６に固定され、放射状台２６に挿入されるボール２１は、半殻６に相対する挿入部４のあらゆる方向のあらゆる動きを防ぐ。
【００８４】
自動的に戻る可動式ロック装置３の第２実施形態を、図７および図８に示す。
【００８５】
自動的に戻るロック装置は、ラッチ３０および捕捉穴３１を備えるシステム２９によって実現される。
【００８６】
ラッチ３０および捕捉穴３１はそれぞれ、支持構造７（それに伴い成形半端１）の先端１９の上および半殻６の先端３７に設けられる。
【００８７】
ラッチ３０は、バネ３２の一端部に設けられる。
【００８８】
ラッチシステム２９は、先端１９において形成される穿孔３３に据え付けられ、上記ラッチ３０を据え付けるためのスロット３５およびバネ３２用の台として機能する空洞３６を備える円筒状ハウジング３４からなる。
【００８９】
スロット３５は、ラッチ３０の高さより大きい深さを有し、そのため、ラッチ３０の端部は上述したように成形半端１の先端１９の上には突出しない。
【００９０】
ラッチ３０は、バネ３２によって影響を及ぼされるときに軸Ｘの周りを回転する第１端部と、以下に説明する捕捉穴３１と係合することのできるホック状に曲がった第２端部とを備える。
【００９１】
捕捉穴３１は、半殻６の先端３７に設けられ、半殻６および支持構造７が互いに固定されるときにスロット３５に面するノッチ３８からなる。
【００９２】
このように、ラッチ３０のホック状端部は、スロット３５がノッチ３８に隣接するとき、バネ３２の作用によって捕捉穴３１に入る。
【００９３】
自動的に戻るロック装置３の第３実施形態を、図９〜図１１に示す。
【００９４】
ロック装置は、板状バネ３９によって実現される。
【００９５】
板状バネ３９は、半殻６の先端１９において構成される空洞４１の中へ固定される曲がり端部４０を有する。
【００９６】
端部４０はネジ４２によってここに固定される。
【００９７】
成形ユニット１の適切な閉鎖に関して上述した理由で、空洞４２の深さは、ネジ４２のヘッドの高さと、板状バネ３９の厚さを足したものと少なくとも等しい。
【００９８】
曲がり端部４０に対向して、板状バネは、幅全体に延びる隆起部４３を有する。
【００９９】
挿入部４は、挿入部４および半殻６が互いに固定されるときに隆起部４３に面する放射状台４４を備える。
【０１００】
台４４は、特に図１０から分かるように、隆起部４３の形状に対して相補的な形状を有する。
【０１０１】
隆起部４３と板状バネ３９の曲がり端部４０との間で、板状バネは、挿入部４を受け入れる台９０の曲線に適合する形状の部材４５を備え、上記台９０は半殻６において構成される。
【０１０２】
他の実施形態と同様に、挿入部４が半殻６に配置され、その端部がワッシャ１４に対して圧接するとき、隆起部４３によって構成されるロック装置が係合されるが、これは挿入部４を半殻６の所定位置に保持するように台４４に収まることを意味している。
【０１０３】
本発明によると、弾性戻り手段の作用を受けて、道具を使用することなく、交換可能な成形部を支持部に容易に固定することが可能となることが上記の説明から理解できる。
【０１０４】
このため、本発明によって、交換可能な成形部を換えるときの時間を節約することができる。現在のシステムは数分間機械設備をシャットダウンさせる必要がある一方、本発明を用いると、成形挿入部を数秒で換えることができる。
【０１０５】
上記説明から、成形挿入部を換えるために必要な時間を著しく低減することによって、本発明がいかに生産速度を向上させているかが分かるであろう。
【０１０６】
特に、複数の挿入部を受け入れるように構成される成形ユニットを提供し、異なる形状のボトル（または他の容器）を製造する大きな可能性をユーザに提供することが可能となる。
【０１０７】
本発明は、添付の図面に示される実施形態に限定されず、他の変形までも網羅し得るということを理解すべきである。
【０１０８】
例えば、取り付けシステムは、本発明の範囲を逸脱しない程度に、成形半端の各辺において構成される２つの可動式ロック装置を備えてもよい。
【図面の簡単な説明】
【０１０９】
【図１】成形キャリア構造を台とする半殻支持構造に固定される半殻を備え、本発明に係る成形ユニットを有する、考えられる形勢キャリア構造の正面図を示す。
【図２】図１の軸ＩＩ−ＩＩに沿う断面図である。
【図３】半殻に固定される挿入部を備える、本発明の１つの変形に係る成形ユニットの正面図である。
【図４】図３の軸ＩＶ−ＩＶに沿う断面図を示す。
【図５】本発明の他の変形に係る成形ユニットの断面図である。
【図６】成形ユニットの横断面図におけるロック装置の第１実施形態を示す。
【図７】成形ユニットの放射状断面図におけるロック装置の第２実施形態を示す。
【図８】作動ロック位置における、図７のロック装置の上面図である。
【図９】本発明の他の変形に係るロック装置を備える、本発明の成形ユニットの上面図である。
【図１０】図９に示すロック装置の放射状断面図である。
【図１１】図９および１０に示すロック装置の斜視図である。
【図１】
2011025698.tif 000003
【図２】
2011025698.tif 000004
【図３】
2011025698.tif 000005
【図４】
2011025698.tif 000006
【図５】
2011025698.tif 000007
【図６】
2011025698.tif 000008
【図７】
2011025698.tif 000009
【図８】
2011025698.tif 000010
【図９】
2011025698.tif 000011
【図１０】
2011025698.tif 000012
【図１１】
2011025698.tif 000013
【外国語明細書】
2011025698000001.pdf